(57)【特許請求の範囲】
【請求項１】
圧搾可能な胴部５より肩部６を介して口頚部７を起立させた容器体２と、該容器体を嵌合収納させた上端開口の筒状をなすとともに、周壁の前後上端縁中央より下方へ、嵌合収納した容器体の胴部５部分に至る窓孔10をそれぞれ穿設して容器体胴部の圧搾を可能に構成してなるケース体３と、各窓孔10を閉塞してケース体３外周に着脱自在に嵌合させたケース蓋体４とを備え、各窓孔10により左右に分離形成された部分のケース体上面を、人間の眼11の上下に掛け渡し当接可能な幅に離隔形成してなり、上記ケース体３を、内部に容器体胴部５下端部を嵌着固定した袴3aと、該袴3aの周壁13外周上端部に上方より周壁15内周下端部を嵌着固定させるとともに、周壁15前後に上記各窓孔10を穿設してなる胴3bとから構成したことを特徴とする目薬容器。
【発明の詳細な説明】
【０００１】
【発明の属する技術分野】
本発明は目薬容器に関する。
【０００２】
【従来の技術】
目薬容器としては、目薬を収納した圧搾可能な胴部より口頚部を起立した容器体と、容器体の口頚部に着脱自在に嵌合させたキャップとからなるものが極一般に知られている。
【０００３】
【発明が解決しようとする課題】
上記従来の目薬容器は、例えば、使用の際キャップを外し、上を向いた眼前に口頚部に嵌着した点眼ノズルを向け、胴部を圧搾して点眼する。その際、もう一方の手の指で眼の上下部分を押さえて眼が閉じない様にするため、手が汚れていたりすると不衛生であり好ましくない。
【０００４】
本発明は、上記した点に鑑み、点眼の際に手を使わずに眼が閉じるのを防止出来て衛生的であるとともに、眼の適正位置に確実に点眼でき、また、収納目薬を使い切った際には容器体を交換することが出来、しかもその交換も容易に行え、更に、不使用時には常時容器体をケースに被覆しておいて埃等の付着の心配のない優れた目薬容器を提案するものである。
【０００５】
【課題を解決するための手段】
第１の手段として、圧搾可能な胴部５より肩部６を介して口頚部７を起立させた容器体２と、該容器体を嵌合収納させた上端開口の筒状をなすとともに、周壁の前後上端縁中央より下方へ、嵌合収納した容器体の胴部５部分に至る窓孔10をそれぞれ穿設して容器体胴部の圧搾を可能に構成してなるケース体３と、各窓孔10を閉塞してケース体３外周に着脱自在に嵌合させたケース蓋体４とを備え、各窓孔10により左右に分離形成された部分のケース体上面を、人間の眼11の上下に掛け渡し当接可能な幅に離隔形成してなり、上記ケース体３を、内部に容器体胴部５下端部を嵌着固定した袴3aと、該袴3aの周壁13外周上端部に上方より周壁15内周下端部を嵌着固定させるとともに、周壁15前後に上記各窓孔10を穿設してなる胴3bとから構成した。
【０００６】
【発明の実施の形態】
以下、本発明の実施例の形態を図面を参照して説明する。
【０００７】
本発明の目薬容器１は、容器体２と、ケース体３と、ケース蓋体４とを備えている。
【０００８】
容器体２は合成樹脂等により形成されたもので、圧搾可能な胴部５より肩部６を介して口頚部７を起立して構成している。本実施例では、横長四角筒状をなす胴部５上端縁より肩部６を介して口頚部７を起立し、また、胴部５の両側壁下部を、正面視が外方へ突出する円弧状に湾曲形成している。また、口頚部７先端に点眼ノズル８を嵌着するとともに、この点眼ノズル８を被覆して口頚部７外周に螺着させたキャップ９を着脱可能に装着している。
【０００９】
ケース体３も合成樹脂等により形成されたもので、容器体２を内部に嵌合収納させた上端開口の筒状をなすとともに、周壁の前後上端縁中央より下方へ、嵌合収納した容器体２の胴部５部分に至る窓孔10をそれぞれ穿設して容器体胴部５の圧搾を可能に構成している。また、各窓孔10により左右に分離形成された部分の上面を、人間の眼11の上下に掛け渡し当接可能な幅に離隔形成している。従って、開いた眼11の上下にケース体３上面を掛け渡すことにより、中央部に容器体の点眼ノズル８が位置し、眼11の中心部分に薬液を滴下させることが出来、また、ケース体３上面により開いた眼11の上下が押さえられて点眼中に閉じてしまわない様に構成している。
【００１０】
図示例では、ケース体３を、更に、袴3aと、胴3bとで構成している。
【００１１】
袴3aは、上端開口の横長四角筒状をなし、内部に容器体胴部５下端部を嵌着固定する如く構成したもので、横長四角形状の底壁12周縁部より周壁13を立設するとともに、周壁13の左右側壁部が外方へ突出する如く正面視円弧状に湾曲して構成している。この湾曲部分内面に容器体胴部５の下部両側の湾曲面を強制的に嵌合させている。また、袴3aの周壁13外周上端部に嵌合凹部を周設し、該凹部の垂壁部外面に係合突条14を突周設している。
【００１２】
胴3bは、袴3aの周壁13外周上端部にその周壁15内周下端部を嵌着固定させるとともに、周壁15の前後部の上端縁中央より下方へ、上記窓孔10を各々穿設し、また、周壁15の左右側部は、上方に行くに従って徐々に狭くなる如く湾曲させ、その上面を、開いた眼11の上下に掛け渡し当接可能な幅に離隔形成している。
【００１３】
図示例では、周壁15内周下端部に上記係合突条14と係合した係合凹溝16を周設している。また、周壁15の前後面下部中央に、ケース蓋体４を係止するための係合突条17を突設している。
【００１４】
ケース蓋体４も同様に合成樹脂等により形成され、上記各窓孔10を閉塞してケース体３外周に着脱自在に嵌合させる如く構成している。本実施例では、下端を開口した四角筒状をなし、その周壁18の両側部は、ケース体３の周壁両側部分の半部に嵌合する如く短く、周壁18の前後部は、ケース体３の窓孔10を閉塞して長く構成している。また、周壁18の前後部内面下部中央には、ケース体３の上記係合突条17と離脱可能に係合する係合凹部19を設けている。
【００１５】
上記の如く構成した目薬容器を使用する場合は、まず、ケース蓋体４を外し、次いでキャップ９を外して上を向いた眼前に注出ノズル８を向け、ケース体の左右側部上面を開いた眼11上下に掛け渡し、容器体胴部５を圧搾して点眼する。
【００１６】
また、容器体２内の薬液を使い切った際には、ケース蓋体４を外した後、胴3bを袴3aより外し、容器体２をケース体３より簡単に外すことができる。従って、眼の幅に合わせるために一般にケース体の上端部は狭くなる傾向があるにも係わらす容器体２をケース体より簡単に外すことができる如く構成している。次いで、新たな容器体を再び袴3aに嵌着した後、胴3b及びケース蓋体４を装着することにより容易に交換を行うことができる。
【００１７】
【発明の効果】
以上説明した如く本発明目薬容器は、圧搾可能な胴部５より肩部６を介して口頚部７を起立させた容器体２と、該容器体を嵌合収納させた上端開口の筒状をなすとともに、周壁の前後上端縁中央より下方へ、嵌合収納した容器体の胴部５部分に至る窓孔10をそれぞれ穿設して容器体胴部の圧搾を可能に構成してなるケース体３と、各窓孔10を閉塞してケース体３外周に着脱自在に嵌合させたケース蓋体４とを備え、各窓孔10により左右に分離形成された部分のケース体上面を、人間の眼11の上下に掛け渡し当接可能な幅に離隔形成したので、点眼の際に手を使わずに眼が閉じるのを防止でき、確実に眼の中心部分に点眼を行えるとともに、手を眼の部分に近づけないで済むため、例え手が汚れている場合でも衛生的な点眼を行えるという特有の効果を発揮するものである。また、不使用時には容器体はケース体及びケース蓋体内に収納されているため、埃等が付着する虞がなく、衛生的に保管することができる。
【００１８】
また、上記容器体２の胴部５を横長四角形状に構成し、上記ケース体３を、上端開口の横長四角筒状をなし、且つ、内部に容器体胴部５下端部を嵌着固定した袴3aと、該袴3aの周壁13外周上端部に上方より周壁15内周下端部を嵌着固定させるとともに、周壁15前後に上記各窓孔10を穿設してなる胴3bとから構成してなるものにあっては、胴部の圧搾が行い易く、また、容器体の交換が無理なく容易に行えるという利点を兼ね備えている。
【図面の簡単な説明】
【図１】本発明の一実施例を示す半断面図である。
【図２】同実施例の斜視図である。
【図３】同実施例のケース蓋体及びキャップを取り外した状態の斜視図である。
【図４】同実施例の使用を説明する説明図である。
【符号の説明】
２…容器体，３…ケース体，3a…袴，3b…胴，４…ケース蓋体，５…胴部，
６…肩部，７…口頚部，10…窓孔，11…眼
【図１】
0003771024.tif 000002
【図２】
0003771024.tif 000003
【図３】
0003771024.tif 000004
【図４】
0003771024.tif 000005